(57)【要約】【課題】無線装置用再構成可能な周辺デバイスに関する【解決手段】  無線装置から信号を受信し、無線装置に信号を送信する無線装置用再構成可能な周辺デバイスであり、第一の構成要素、第二の構成要素及び第三の構成要素を含む。第一の構成要素は、バッジを含む。第二の構成要素は、第一の構成要素と分離可能に接続され、無線装置から信号を受信し、無線装置に信号を送信する無線信号処理回路を含む。第三の構成要素は、第二の構成要素と接続され、第二の構成要素により受信された信号を使用者に出力する出力ユニットを含む。  【選択図】  図2
2006314068.tif 000002
【特許請求の範囲】
【請求項１】
無線装置から信号を受信し、当該無線装置に信号を送信する無線装置用再構成可能な周辺デバイスであって、
バッジを含む第一の構成要素と、
前記第一の構成要素と分離可能に接続され、前記無線装置から信号を受信し、信号を前記無線装置に送信する無線信号処理回路を含む第二の構成要素と、
前記第二の構成要素と接続され、前記第二の構成要素により受信された信号を使用者に出力する出力ユニットを含む第三の構成要素と
を有する
無線装置用再構成可能な周辺デバイス。
【請求項２】
前記第三の構成要素は、前記第二の構成要素に使用者の情報を入力する入力ユニットを含み、
前記出力ユニットは、イヤホーンであり、
前記入力ユニットは、マイクロホーンである
請求項１に記載の無線装置用再構成可能な周辺デバイス。
【請求項３】
前記無線信号処理回路により受信された前記信号は、携帯電話からの信号である
請求項２に記載の無線装置用再構成可能な周辺デバイス。
【請求項４】
前記第一の構成要素の表面上に収納部を有し、
前記第二の構成要素は、前記収納部に挿入可能なフック構造を有する
請求項２に記載の無線装置用再構成可能な周辺デバイス。
【請求項５】
前記第二の構成要素は、収納部を含み、
前記第三の構成要素は、前記収納部に挿入可能な信号ピンを含む
請求項２に記載の無線装置用再構成可能な周辺デバイス。
【請求項６】
前記第二の構成要素は、前記無線装置からの情報を表示するディスプレイを含む
請求項２に記載の無線装置用再構成可能な周辺デバイス。
【請求項７】
前記第二の構成要素は、複数の機能キーを含む
請求項２に記載の無線装置用再構成可能な周辺デバイス。
【請求項８】
前記第一の構成要素は、第一の電気伝導部を含み、
前記第二の構成要素は、第二の電気伝導部を含む
請求項２に記載の無線装置用再構成可能な周辺デバイス。
【請求項９】
前記第一の構成要素は、第二の構成要素と電気的に接続される場合、前記無線装置からの情報を表示するディスプレイを含む
請求項８に記載の無線装置用再構成可能な周辺デバイス。
【請求項１０】
前記第一の構成要素は、前記無線装置にデータを入力するキーボードを含む
請求項８に記載の無線装置用再構成可能な周辺デバイス。
【発明の詳細な説明】
【技術分野】
【０００１】
本発明は、無線装置用周辺デバイスに関し、特に、無線装置用再構成可能な周辺デバイスに関する。
【背景技術】
【０００２】
携帯電話或いは携帯情報端末（PDA）などのような無線装置の開発が増えつづけるにつれて、数多くの周辺デバイスは幅広く用いられ、無線装置の利便性と実用性を高める。
【０００３】
例えば、無線イヤホーンデバイスは、携帯電話の一般的な周辺デバイスである。無線イヤホーンデバイスを用いることにより、使用者は、携帯電話を手に持たなくても、電話に出ることができる。また、無線イヤホーンデバイスのうち、携帯電話に関わる情報、例えば、発呼者の電話番号を表示できるスクリーンは、無線イヤホーンの本体に設置されるものもある。この場合、発呼に応じて、使用者は、無線イヤホーンデバイスを耳から取り出して、スクリーンに表示された情報により、電話に出るか否かを決める。一旦電話に出ると決めたら、使用者は、無線イヤホーンデバイスを再び耳に付け、当該無線イヤホーンデバイスで電話をする。
【０００４】
周知のように、携帯性により、携帯電話或いは携帯情報端末の体積は大きくすることができない。この結果、データ入力用操作インターフェースは、やや小さすぎて、使いにくいので、無線装置の使用を邪魔する。データ入力の利便性を高めるために、無線装置に大量のデータを入力できる大きいサイズの専用キーボードを用いることができる。
【０００５】
このような周辺デバイスは、いくつかの場合に応用されているものの、問題点が多くある。例えば、上述したように、無線イヤホーンデバイスを使用者の耳から取り出して、スクリーンに表示された情報を見てから再び使用者の耳に付けるような繰り返し動作は、不便である。
【０００６】
また、このような重い或いは大きいイヤホーンデバイスを使用者の耳に直接付けることは、使用者が違和感を覚えるので、このようなイヤホーンは、満足できるものではない。特に、眼鏡を掛けている使用者の場合は、眼鏡のフレームが無線イヤホーンを邪魔するので、不便である。
【０００７】
また、無線装置の専用キーボードは無線装置へのデータ入力を容易にしたとしても、この専用キーボードがかなりのスペースを占めるので、専用キーボードを持つことは、使用者にとって不便である。
【発明の開示】
【発明が解決しようとする課題】
【０００８】
本発明の目的は、使用者の要求により選択された異なる周辺構成要素で構成される無線装置用再構成可能な周辺デバイスを提供することにある。
【課題を解決するための手段】
【０００９】
上述した目的を達成するために、本発明は、無線装置から信号を受信し、無線装置に信号を送信することができ、第一の構成要素、第二の構成要素及び第三の構成要素を含む無線装置用再構成可能な周辺デバイスを提供する。第一の構成要素はバッジを含む。第二の構成要素は、第一の構成要素に分離可能に接続され、無線装置からの信号を受信し、無線装置に信号を送信することができる無線信号処理回路を含む。第三の構成要素は、第二の構成要素に接続され、第二の構成要素により受信された信号を使用者に出力することができる出力ユニットを含む。
【発明の効果】
【００１０】
異なる構成要素を含む無線装置用再構成可能な周辺デバイスを提供することにより、無線装置からの信号を受信し、及び無線装置に信号を送信することができる。
【発明を実施するための最良の形態】
【００１１】
次に、添付した図面を参照しながら、本発明の好適な実施形態を詳細に説明する。
【００１２】
第一の実施形態
図1は、本発明の第一の実施形態に係る再構成可能な周辺デバイスの構成図である。図1に示すように、再構成可能な周辺デバイスは、第一の構成要素100、第二の構成要素200、第三の構成要素300及び第一の構成要素に用いられるネックストラップを含む。
【００１３】
第一の構成要素100は、例えば、使用者の身分を示すＩＤ（Identification）カード101のようなバッジを含む。第二の構成要素200は、液晶ディスプレイ（LCD）と機能キー202〜206を含む。機能キー202と203は、それぞれ音量を高くする機能と低くする機能を制御する。機能キー204は、電源のオン・オフを制御する。データ項目の前後の移動は、それぞれ機能キー205と206により制御される。また、第二の構成要素200は、収納穴207とフック構造208をさらに含む。第三の構成要素300は、出力ユニット301、入力ユニット302、接続ピン303及び通信制御キー304を含む。出力ユニット301と入力ユニット302は、例えば、それぞれイヤホーンとマイクロホーンである。
【００１４】
図2の(A)は、図1に示した第一の構成要素と第二の構成要素及び第三の構成要素との組み立て図である。図2の(A)に示すように、第二の構成要素200のフック構造208が第一の構成要素100の裏側の収納部103に挿入され、第二の構成要素200は、第一の構成要素100と接続される。図2の(B)は、図2の(A)の側面図であり、組み立てられた第一の構成要素、第二の構成要素と第三の構成要素を示す図である。
【００１５】
以下、本発明の再構成可能な周辺デバイスの使用方法を詳細に述べる。
【００１６】
まず、使用者はオフィスにいる時に、図2の(A)に示すように、第一の構成要素100、第二の構成要素200及び第三の構成要素300の組み立てを実施する。
【００１７】
第一の構成要素100は、オフィスにいる使用者の身分を示すＩＤカード101を含む。
【００１８】
第二の構成要素200は、携帯電話のような無線装置からの信号を受信と送信する。第二構成要素の液晶ディスプレイ（LCD）201は、携帯電話からの情報、例えば、発呼者の電話番号を表示する。第二の構成要素の機能キー202と203は、それぞれ音量を高くする機能と低くする機能を制御する。機能キー204は、電源のオン・オフを制御する。また、データ項目の前後への移動は、それぞれ機能キー205と206より制御される。
【００１９】
図3は、第二の構成要素の概略回路図である。第二の構成要素200は、収納穴207、LCDの駆動器201A、機能キー202〜206、無線信号処理回路209、振動器210、表示ライト211及びパワー供給回路212を含む。収納穴207には、第三の構成要素300の接続ピン303が挿入される。LCD201は、LCD駆動器201Aにより駆動される。無線信号処理回路209は、受信された無線信号を処理して送信する。無線信号が第二の構成要素200に送信されると、振動器210は振動し、無線信号を既に受信したことを使用者に知らせる。操作状態、例えば、電源のオン・オフとオンライン通信・オフライン通信状態が、表示ライト211により表示される。電源供給回路212は、第二の構成要素200に電源を供給する。
【００２０】
使用者の携帯電話が発呼を受信するときに、無線信号が第二の構成要素200の無線処理回路209に送信されて、振動器210が振動し、使用者に知らせる。また、携帯電話のスクリーンに表示される情報、例えば、発呼者の電話番号が、LCD201に表示される。この場合、使用者は電話に出るか否かを決める。第三の構成要素の通信制御キー304を押せば、使用者は発呼者と会話することができる。また、第三の構成要素300のイヤホーンデバイス301により、使用者は、発呼者の声を聞こえる。会話の内容は、マイクロホーン302により第二の構成要素200に入力されて、第二の構成要素により携帯電話に送信される。
【００２１】
次に、ＩＤカードを付ける必要がない場合、例えば、使用者がオフィスにいない場合、第二の構成要素200は、第一の構成要素100から外しても良い。しかし、この場合、第二の構成要素200と第三の構成要素300は使用されているので、無線イヤホーンは引継ぎ機能する。或いは、図2の(A)のネックストラップ102のようなネックストラップを使用し、第二の要素200を使用者に付着することができる。
【００２２】
なお、本発明の趣旨を離脱しない限り、第一の構成要素100と第二の構成要素200との間の接続に対してのあらゆる変更は本発明の範囲に属する。
【００２３】
第二の実施形態
図4の（A）と（B）は、本発明第二の実施形態に係る再構成可能な周辺デバイスの構成図である。この実施形態において、再構成可能な周辺デバイスは、第一の構成要素400、第二の構成要素500及び第三の構成要素600を含む。第一の構成要素400の裏面には、滑りスロット401を有する。図4（B）に示すように、第二の構成要素500は、滑りスロット401に滑り込むことができる。図4の再構成可能な周辺デバイスと図2の再構成可能な周辺デバイスとは異なる。図4（B）に示すように、第三の構成要素600は、接続ピンの代わりに、ネックストラップとして用いられる接続ワイヤーにより第二の構成要素500と接続される。
【００２４】
第三の実施形態
図5は、本発明第三の実施形態に係る再構成可能な周辺デバイスの構成図である。この実施形態において、再構成可能な周辺デバイスは、第一の構成要素700、第二の構成要素800及び第三の構成要素900を含む。第二の構成要素800は、接続片1000により第一の構成要素700と接続される。
【００２５】
第四の実施形態
図6の（A）と（B）は、本発明の第四の実施形態に係る再構成可能な周辺デバイスの構成図である。この実施形態において、再構成可能な周辺デバイスは、第一の構成要素10、第二の構成要素20及び第三の構成要素30を含む。
【００２６】
第一の構成要素10は、ＩＤカード11、キーボード12及び第一の電気伝導部、例えば電気伝導端子13を含む。第二の構成要素20は、さらに第二の電気伝導部、例えば電気伝導端子21を含む。
【００２７】
第二の構成要素20は、キーボード12の裏面の凹部構造14に収納され、第二の構成要素20の電気伝導端子21は、第一の構成要素10の電気伝導端子13と接続される。そして、第二の構成要素20がＩＤカード11により覆われ、本発明の再構成可能な周辺デバイスが組み立てられる。図7の（A）と（B）は、この再構成可能な周辺デバイスの正面と裏面を示す斜視図である。
【００２８】
図6に示すように、第二の構成要素20とその中の第三の構成要素30は、第一の実施形態、第二及び第三の実施形態の構成と同様であり、ここでは、詳細な説明を省略する。図6の再構成可能な周辺デバイスは、第一の実施形態、第二の実施形態及び第三の実施形態における再構成可能な周辺デバイスとの相違点は、例えば、第一の構成要素10にキーボード12が加えられた。
【００２９】
言い換えると、第一の構成要素、第二の構成要素及び第三の構成要素は組み立てられるとき、第一の構成要素はＩＤカードとキーボードとの二つの機能を有する。この場合、使用者は、短いメッセージを送信するために、キーボード12を用いてデータを入力する。第一の構成要素10は第二の構成要素20と電気的に接続されているので、入力されたデータは、第二の構成要素20を介して携帯電話に送信される。これにより、再構成可能な周辺デバイスの機能が拡張される。
【００３０】
ＩＤカードを付ける必要がない場合、例えば、使用者がオフィスにいない場合、第二の構成要素20は、第一の構成要素10から外しても良い。しかし、この場合、第二の構成要素20と第三の構成要素30が使用されているので、無線イヤホーンの機能を維持する。
【００３１】
第五の実施形態
図8の（A）と（B）は、本発明の第五の実施形態に係る再構成可能な周辺デバイスの構成図であり、それぞれ再構成可能な周辺デバイスの正面と裏面を示す斜視図である。この実施形態において、第二の構成要素と第三の構成要素は図6の第二の構成要素と第三の構成要素と同様であり、ここでは、詳細な説明を省略する。また、第一の構成要素40はLCD41をさらに含み、LCD41は携帯電話のスクリーンに表示された情報を表示する。
【００３２】
上述した実施形態によれば、本発明に係る無線装置用再構成可能な周辺デバイスは、柔軟性と拡張機能を有する利点がある。使用者がオフィスにいるときに、イヤホーンの機能を維持する第二の構成要素と第三の構成要素に、ＩＤカードを含む第一の構成要素を組み立てることができる。この場合、再構成可能な周辺デバイスは、ＩＤカードとイヤホーンの二つの機能を要する。一方、ＩＤカードを付ける必要がない場合、例えば、使用者がオフィスにいない場合、ＩＤカードを外しても良い。しかし、この場合、第二の構成要素と第三の構成要素は、ネックレスのように着用され、無線イヤホーンの機能を維持する。
【００３３】
拡張機能の立場として、本発明の再構成可能な周辺デバイスに、さらに他の周辺デバイス、例えば、キーボード、或いは、ＩＤカードにおけるディスプレイを設けることができる。従来の方法は、既知のように、使用者が二つの周辺デバイスを持って周辺デバイスの機能を実現するので、不便である。しかし、本発明により、他の周辺デバイスはＩＤカードに設置され、第二の構成要素と協動して用いることができる。また、他の周辺デバイスは使用者の要求により選択される。これにより、本発明の再構成可能な周辺デバイスは、ＩＤカードが着用されるときに、二つの周辺デバイスの機能を実現することができる。
【００３４】
以上、本発明の好ましい実施形態を説明したが、本発明はこの実施形態に限定されず、本発明の趣旨を離脱しない限り、本発明に対するあらゆる変更は本発明の範囲に属する。
【図面の簡単な説明】
【００３５】
【図１】本発明の第一の実施形態に係る再構成可能な周辺デバイスの構成図である。
【図２】組み立てられた図1の再構成可能な周辺デバイスの正面図と側面図である。
【図３】本発明の第一の実施形態に係る再構成可能な周辺デバイスの第二の構成要素の回路図である。
【図４】本発明第二の実施形態に係る再構成可能な周辺デバイスの構成図である。
【図５】本発明第三の実施形態に係る再構成可能な周辺デバイスの構成図である。
【図６】本発明第四の実施形態に係る再構成可能な周辺デバイスの構成図である。
【図７】本発明第四の実施形態に係る再構成可能な周辺デバイスの裏面図である。
【図８】本発明第五の実施形態に係る再構成可能な周辺デバイスの構成図である。
【符号の説明】
【００３６】
100  第一の構成要素
200  第二の構成要素
300  第三の構成要素
101  ＩＣカード
102  ネックストラップ
201  液晶ディスプレイ（LCD）
201A  駆動器
202〜206  機能キー
207  収納穴
208  フック構造
209  無線信号処理回路
210  振動器
211  表示ライト
212  パワー供給回路
301  出力ユニット
302  入力ユニット
303  接続ピン
304  通信制御キー
400  第一の構成要素
401  滑りスロット
500  第二の構成要素
600  第三の構成要素
700  第一の構成要素
800  第二の構成要素
900  第三の構成要素
1000  接続片
10  第一の構成要素
11  ＩＤカード
12  キーボード
13  第一の電気伝導端子
14  凹部構造
20  第二の構成要素
21  第二の電気伝導端子
30  第三の構成要素
40  第一の構成要素
41  液晶ディスプレイ（LCD）
【図１】
2006314068.tif 000003
【図２】
2006314068.tif 000004
【図３】
2006314068.tif 000005
【図４】
2006314068.tif 000006
【図５】
2006314068.tif 000007
【図６】
2006314068.tif 000008
【図７】
2006314068.tif 000009
【図８】
2006314068.tif 000010